(57)【要約】【課題】電子装置で動く写真コンテンツを生成するための装置及びその方法を提供する。【解決手段】本発明の実施例は、電子装置でコンテンツを再生するための装置及びその方法に関するものである。この際、コンテンツを再生するための方法は、コンテンツの基準イメージを表示する過程と、ユーザの入力を感知した場合、前記ユーザの入力にマッチングする再生方式を決定する過程と、前記ユーザの入力にマッチングする再生方式に基づいて前記コンテンツを再生する過程と、を含む。【選択図】図１
2014132461.tif 000002
【特許請求の範囲】
【請求項１】
電子装置でコンテンツを再生するための方法において、
コンテンツの基準イメージを表示する過程と、
ユーザの入力を感知した場合、前記ユーザの入力にマッチングする再生方式を決定する過程と、
前記ユーザの入力にマッチングする再生方式に基づいて前記コンテンツを再生する過程と、含む方法。
【請求項２】
前記ユーザの入力は、タッチ入力方式、音声認識方式及びジェスチャー入力方式のうち一つ以上のユーザの入力を含む請求項１に記載の方法。
【請求項３】
前記再生方式は、１回順方向再生、反復順方向再生、１回逆方向再生及び反復逆方向再生のうち一つ以上を含む請求項１に記載の方法。
【請求項４】
前記ユーザの入力にマッチングする再生方式が存在しない場合、警告メッセージ及び警告音のうち少なくとも一つを発生させる過程を更に含む請求項１に記載の方法。
【請求項５】
前記コンテンツは、動画コンテンツ及び動く写真コンテンツのうちいずれか一つ以上を含む請求項１に記載の方法。
【請求項６】
前記基準イメージは、動画コンテンツのサムネール、動画の再生開始時点のイメージ及び動く写真コンテンツの基本イメージのうちいずれか一つを含む請求項１に記載の方法。
【請求項７】
前記基準イメージを表示する過程の前に動く写真コンテンツを生成する過程を更に含む請求項１に記載の方法。
【請求項８】
前記動く写真コンテンツを生成する過程は、
カメラを利用した連続撮影を介して多数個のイメージを獲得する過程と、
前記多数個のイメージで基準領域を決定する過程と、
前記多数個のイメージの基準領域に含まれるイメージを合成して動く写真コンテンツを生成する過程と、を含む請求項７に記載の方法。
【請求項９】
前記基準領域を決定する過程は、
前記イメージを比較して被写体の動きが感知される領域を抽出する過程と、
前記抽出した領域を基準領域として決定する過程と、を含む請求項８に記載の方法。
【請求項１０】
前記動く写真コンテンツを生成した後、前記動く写真コンテンツを再生するための少なくとも一つの再生方式とそれぞれの再生方式にマッチングする入力情報を設定する過程を更に含む請求項７に記載の方法。
【請求項１１】
電子装置において、
表示部と、
入力部と、
少なくとも一つのプロセッサと、を含み、
前記プロセッサはコンテンツの基準イメージを前記表示部に表示し、前記入力部を介してユーザの入力を感知した場合、前記ユーザの入力にマッチングする再生方式に基づいて前記コンテンツを再生する装置。
【請求項１２】
前記入力部は、タッチ入力方式、音声認識方式及びジェスチャー入力方式のうち一つ以上によるユーザの入力を感知する請求項１１に記載の装置。
【請求項１３】
前記再生方式は、１回順方向再生、反復順方向再生、１回逆方向再生及び反復逆方向再生のうち一つ以上を含む請求項１１に記載の装置。
【請求項１４】
前記プロセッサは、前記ユーザの入力にマッチングする再生方式が存在しない場合、警告メッセージ及び警告音のうち少なくとも一つを発生するように制御する請求項１１に記載の装置。
【請求項１５】
前記コンテンツは、動画コンテンツ及び動く写真コンテンツのうちいずれか一つ以上を含む請求項１１に記載の装置。
【請求項１６】
前記表示部は、動画コンテンツのサムネール、動画の再生開始時点のイメージ及び動く写真コンテンツの基本イメージのうちいずれか一つの基準イメージを表示する請求項１１に記載の装置。
【請求項１７】
カメラを更に含み、
前記プロセッサは、前記カメラを介して撮影した多数個のイメージを利用して動く写真コンテンツを生成する請求項１１に記載の装置。
【請求項１８】
前記プロセッサは、前記カメラを利用した連続撮影を介して獲得した多数個のイメージで基準領域を決定し、前記多数個のイメージの基準領域に含まれるイメージを合成して動く写真コンテンツを生成する請求項１７に記載の装置。
【請求項１９】
前記プロセッサは、前記多数個のイメージを比較して被写体の動きが感知される領域を抽出し基準領域として決定する請求項１８に記載の装置。
【請求項２０】
前記プロセッサは、動く写真コンテンツを生成した後、前記動く写真コンテンツを再生するための少なくとも一つの再生方式とそれぞれの再生方式にマッチングする入力情報を設定する請求項１７に記載の装置。
【発明の詳細な説明】
【技術分野】
【０００１】
本発明の実施例は電子装置でコンテンツを制御するための装置及びその方法に関するのものであり、特に、電子装置でユーザの入力方式に基づいてコンテンツを再生するための装置及びその方法に関するものである。
【背景技術】
【０００２】
情報通信技術及び半導体技術の発展で、携帯用電子装置は音声通話サービスだけでなくデータ伝送サービスを利用した多様なマルチメディアサービスを提供するマルチメディア装置として発展しつつある。例えば、携帯用電子装置は放送サービス、無線インターネットサービス、カメラサービス及び音楽再生サービスなどの多様なマルチメディアサービスを提供する。
【０００３】
携帯用電子装置でマルチメディアサービスを提供することによって、携帯用電子装置のユーザは携帯用電子装置を介して更に多様なサービスを必要とする。それによって、携帯用電子装置はユーザの多様な欲求を満足するための一環として動く写真コンテンツを利用したサービスを提供する。ここで、動く写真コンテンツは、連続的に撮影された多数個の写真を一定間隔の多数個のフレームとして指定して再生するように合成された写真コンテンツを示す。
しかし、携帯用電子装置は動く写真コンテンツを繰り返し再生するサービスのみを提供することで、携帯用電子装置のユーザは動く写真コンテンツを利用した制限されたサービスのみを使用している。
【先行技術文献】
【特許文献】
【０００４】
【特許文献１】韓国特許出願公開第１９９４−７５９８公報
【発明の概要】
【発明が解決しようとする課題】
【０００５】
よって、本発明の構成は電子装置で動く写真コンテンツを生成するための装置及びその方法を提供する。
【課題を解決するための手段】
【０００６】
本発明の構成は電子装置で連続に撮影された写真から被写体の動きを推定し、動く写真コンテンツを生成するための動き領域を自動的に設定するための装置及びその方法を提供する。
【０００７】
本発明の構成は電子装置で連続に撮影された写真の動き領域の情報を合成し、動く写真コンテンツを生成するための装置及びその方法を提供する。
【０００８】
本発明の構成は電子装置で動く写真コンテンツを生成する際、ユーザの入力情報に応じた再生方式を設定するための装置及びその方法を提供する。
【０００９】
本発明の構成は電子装置でユーザの入力情報にマッチングする再生方式に応じてコンテンツを再生するための装置及びその方法を提供する。
【００１０】
本発明の構成は電子装置でユーザの入力情報にマッチングする再生方式に応じて動画コンテンツを再生するための装置及びその方法を提供する。
【００１１】
本発明の構成は電子装置でユーザの入力情報にマッチングする再生方式に応じて動く写真コンテンツを再生するための装置及びその方法を提供する。
【００１２】
本発明の構成は電子装置で動く写真コンテンツに含まれた少なくとも一つの動き領域を選択的に再生するための装置及びその方法を提供する。
【００１３】
本発明の構成によると、電子装置でコンテンツを再生するための方法は、コンテンツの基準イメージを表示する過程と、ユーザの入力を感知した場合、前記ユーザの入力にマッチングする再生方式を決定する過程と、前記ユーザの入力にマッチングする再生方式に基づいて前記コンテンツを再生する過程を含む。
【００１４】
本発明の構成において、カメラを利用した連続撮影を介して多数個のイメージを獲得する過程と、前記多数個のイメージで基準領域を決定する過程と、前記多数個のイメージの基準領域に含まれるイメージを合成して動く写真を生成する過程を含む。
【００１５】
本発明の構成によると、電子装置は表示部、入力部及び少なくとも一つのプロセッサを含み、前記プロセッサはコンテンツの基準イメージを前記表示部に表示し、前記入力部を介してユーザの入力を感知した場合、前記ユーザの入力にマッチングする再生方式に応じて前記コンテンツを再生する。
【００１６】
本発明の構成において、プロセッサはカメラを利用した連続撮影を介して多数個のイメージを獲得し、前記多数個のイメージで基準領域を決定し、前記多数個のイメージの基準領域に含まれるイメージを合成して動く写真を生成する。
【図面の簡単な説明】
【００１７】
【図１】本発明の実施例による電子装置のブロック構成を示す図である。
【図２】本発明の実施例によるプロセッサの詳細なブロック構成を示す図である。
【図３】本発明の他の実施例による電子装置で動く写真コンテンツを再生するための手順を示す図である。
【図４】本発明の実施例による電子装置で動く写真コンテンツを生成するための手順を示す図である。
【図５】本発明の実施例による電子装置で動く写真コンテンツに対する制御情報を設定するための手順を示す図である。
【図６】本発明の実施例による電子装置で入力情報に基づいてコンテンツを再生するための手順を示す図である。
【図７】本発明の他の実施例による電子装置で入力情報に基づいて動く写真コンテンツを再生するための手順を示す図である。
【図８】本発明のまた他の実施例による電子装置で入力情報に基づいて動く写真コンテンツを再生するための手順を示す図である。
【図９ａ】本発明の実施例による電子装置で入力情報に基づいて動く写真コンテンツを再生するための画面構成を示す図である。
【図９ｂ】本発明の実施例による電子装置で入力情報に基づいて動く写真コンテンツを再生するための画面構成を示す図である。
【図９ｃ】本発明の実施例による電子装置で入力情報に基づいて動く写真コンテンツを再生するための画面構成を示す図である。
【図９ｄ】本発明の実施例による電子装置で入力情報に基づいて動く写真コンテンツを再生するための画面構成を示す図である。
【図９ｅ】本発明の実施例による電子装置で入力情報に基づいて動く写真コンテンツを再生するための画面構成を示す図である。
【図１０ａ】本発明の他の実施例による電子装置で入力情報に基づいて動く写真コンテンツを再生するための画面構成を示す図である。
【図１０ｂ】本発明の他の実施例による電子装置で入力情報に基づいて動く写真コンテンツを再生するための画面構成を示す図である。
【図１０ｃ】本発明の他の実施例による電子装置で入力情報に基づいて動く写真コンテンツを再生するための画面構成を示す図である。
【図１０ｄ】本発明の他の実施例による電子装置で入力情報に基づいて動く写真コンテンツを再生するための画面構成を示す図である。
【図１０ｅ】本発明の他の実施例による電子装置で入力情報に基づいて動く写真コンテンツを再生するための画面構成を示す図である。
【図１１】本発明の実施例による電子装置で動く写真コンテンツに対する制御情報を設定するための画面構成を示す図である。
【発明を実施するための形態】
【００１８】
以下、本発明の好ましい実施例を添付した図面を参照して詳細に説明する。そして、本発明を説明するに当たって、関連する公知機能或いは構成に対する具体的な説明が本発明の要旨を不明確にする恐れがあると判断される場合、その詳細な説明を省略する。そして、後述する用語は本発明における機能に基づいて定義された用語であり、これはユーザ、運用者の意図又は慣例などによって異なり得る。よって、その定義は本明細書全般にかかる内容に基づいて下されるべきである。
【００１９】
以下、本発明は電子装置で入力情報に応じて動く写真コンテンツを再生するための技術について説明する。
【００２０】
以下の説明において、電子装置は移動通信端末機、ＰＤＡ、ＰＣ、ラップトップコンピュータ、スマートフォン、ネットブック、テレビジョン、形態インターネット装置（ＭＩＤ）、ウルトラモバイルＰＣ（ＵＭＰＣ）、タブレットＰＣ、ナビゲーション、スマートＴＶ、デジタルカメラ及びＭＰ３のうち一つ以上を含む。
【００２１】
図１は、本発明の実施例による電子装置のブロック構成を示す図である。
【００２２】
図１を参照すると、電子装置１００はメモリ１１０、プロセッサユニット１２０、オーディオ処理部１３０、カメラ部１４０、センシング部１５０、入出力制御部１６０、表示部１７０及び入力装置１８０を含む。ここで、メモリ１１０は多数個存在してもよい。
【００２３】
メモリ１１０は、電子装置１００の動作を制御するためのプログラムを貯蔵するプログラム貯蔵部１１１及びプログラムを行う途中で発生するデータを貯蔵するデータ貯蔵部１１２を含む。
【００２４】
データ貯蔵部１１２は、動く写真コンテンツ及び入力情報に応じた動く写真コンテンツに対する制御情報を貯蔵する。例えば、データ貯蔵部１１２は動く写真生成プログラム１１４を介して生成された動く写真コンテンツを貯蔵する。また、データ貯蔵部１１２は再生制御プログラム１１５を介して生成された入力情報に応じた動く写真コンテンツに対する制御情報を貯蔵する。
【００２５】
プログラム貯蔵部１１１はグラフィックユーザインタフェース（ＧＵＩ）プログラム１１３、動く写真生成プログラム１１４、再生制御プログラム１１５及び少なくとも一つの応用プログラム１１６を含む。ここで、プログラム貯蔵部１１１に含まれるプログラムは命令語の集合であって、命令語セットと表現されてもよい。
【００２６】
ＧＵＩプログラム１１３は、表示部１７０の上にグラフィックでユーザインタフェースを提供するための少なくとも一つのソフトウェア構成要素を含む。例えば、ＧＵＩプログラム１１３はプロセッサ１２２によって駆動される応用プログラムの情報を表示部１７０に表示するように制御する。
【００２７】
動く写真生成プログラム１１４は、動く写真コンテンツを生成するための少なくとも一つのソフトウェア構成要素を含む。例えば、動く写真生成プログラム１１４はカメラ部１４０を介して連続に撮影された多数個のイメージを合成して動く写真コンテンツを生成する。他の例として、動く写真生成プログラム１１４はカメラ部１４０を介して連続に撮影された多数個のイメージのうち入力装置１８０から提供されたユーザの入力情報に応じて設定された動き領域の情報を合成して動く写真コンテンツを生成する。また他の例として、動く写真生成プログラム１１４はカメラ部１４０を介して連続に撮影された多数個のイメージを比較し、動きが発生する領域を抽出して動き領域として設定する。次に、動く写真生成プログラム１１４は連続に撮影されたイメージの動き領域の情報を合成して動く写真コンテンツを生成してもよい。この際、動く写真生成プログラム１１４はイメージをピクセル単位で比較して動き領域を設定する。
【００２８】
再生制御プログラム１１５はマイク１３２、センシング部１５０及び入力装置１８０のうち少なくとも一つを介して提供されたユーザの入力情報に応じて動画コンテンツ又は動く写真コンテンツに対する再生方式を決定するための少なくとも一つのソフトウェア構成要素を含む。例えば、図９ｅに示したように入力装置１８０を介してドラッグ９４１，９４３を感知した場合、再生制御プログラム１１５はデータ貯蔵部１１２に貯蔵された再生方式のうちドラッグ情報にマッチングする動画コンテンツ又は動く写真コンテンツの再生方式を選択する。
【００２９】
他の例として、図１０ｅに示したようにマイク１３２を介して「投げて」という音声命令１０５０を提供された場合、再生制御プログラム１１５はデータ貯蔵部１１２に貯蔵された再生方式のうち「投げて」という音声命令にマッチングする動画コンテンツ又は動く写真コンテンツの再生方式を選択する。
【００３０】
また他の例として、センシング部１５０を介して電子装置１００の揺れが感知された場合、再生制御プログラム１１５はデータ貯蔵部１１２に貯蔵された再生方式のうち電子装置１００の揺れにマッチングする動画コンテンツ又は動く写真コンテンツの再生方式を選択する。ここで、再生方式は１回再生、反復再生、１回逆方向再生及び反復逆方向再生のうち一つ以上を含む。
【００３１】
再生制御プログラム１１５はコンテンツの再生方式がマッチングする入力情報のうち該当動画コンテンツ又は動く写真コンテンツを制御するための少なくとも一つの入力情報を選択する。例えば、再生制御プログラム１１５は図９ｃ及び図１０ｃに示したようにコンテンツの再生方式がマッチングする入力情報９２０，１０３０を表示部１７０に表示するように制御する。次に、再生制御プログラム１１５はコンテンツの再生方式がマッチングする入力情報９２０，１０３０のうち少なくとも一つの入力情報を動画コンテンツ又は動く写真コンテンツを再生するための入力情報として選択する。この場合、再生制御プログラム１１５は動画コンテンツ又は動く写真コンテンツの再生方式がマッチングする入力情報９２０，１０３０のうち選択された少なくとも一つの入力情報に基づいて動画コンテンツ又は動く写真コンテンツを再生するように制御する。
【００３２】
他の例として、再生制御プログラム１１５は図９ｄ及び図１０ｄに示したようにコンテンツの再生方式がマッチングする入力方式９３０，１０４０を表示部１７０に表示するように制御する。次に、再生制御プログラム１１５はコンテンツの再生方式がマッチングする入力方式９３０，１０４０のうち少なくとも一つの入力方式を動画コンテンツ又は動く写真コンテンツを再生するための入力方式として選択する。もし、図９ｄに示したようにタッチ入力方式が選択された場合、再生制御プログラム１１５はコンテンツの再生方式がマッチングする入力情報のうちタッチ入力方式に応じた少なくとも一つ入力情報９３０に基づいて動画コンテンツ又は動く写真コンテンツを再生するように制御する。一方、図１０ｄに示したように音声認識方式が選択された場合、再生制御プログラム１１５はコンテンツの再生方式がマッチングする入力情報のうち音声認識方式に応じた少なくとも一つ入力情報１０４０に基づいて動画コンテンツ又は動く写真コンテンツを再生するように制御する。ここで、入力方式はシングルタッチ、マルチタッチ及びドラッグのようなタッチ入力方式、音声認識方式及びジェスチャー入力方式のうち少なくとも一つを含む。
【００３３】
再生制御プログラム１１５は、動く写真コンテンツに含まれた少なくとも一つの動き領域を選択的に再生するための少なくとも一つのソフトウェア構成要素を含む。例えば、図１０ｄに示した音声認識情報１０４０のうち「投げて」という音声命令を感知した場合、再生制御プログラム１１５は図１０ｂに示した２つの動き領域１０１０，１０２０を含む動く写真コンテンツで第１動き領域１０１０のみを１回再生するように制御する。他の例として、図１０ｄに示した音声認識情報のうち「再生」という音声命令を感知した場合、再生制御プログラム１１５は図１０ｂに示した動く写真コンテンツを１回再生するように制御する。即ち、再生制御プログラム１１５は動く写真コンテンツに含まれた第１動き領域１０１０及び第２動き領域１０２０を１回再生するように制御する。
【００３４】
再生制御プログラム１１５は、動画コンテンツ又は動く写真コンテンツを制御するための少なくとも一つの入力情報にマッチングする再生方式を設定するための少なくとも一つのソフトウェア構成要素を含む。例えば、再生制御プログラム１１５は図５に示したように入力情報設定メニュを利用して動画コンテンツ又は動く写真コンテンツを制御するための入力情報にマッチングする再生方式を設定する。他の例として、再生制御プログラム１１５動く写真生成プログラム１１４を介して動く写真を生成する際、動く写真コンテンツを制御するための入力情報にマッチングする再生装置を設定する。
【００３５】
応用プログラム１１６は、電子装置１００に設置された少なくとも一つの応用プログラムに対するソフトウェア構成要素を含む。
【００３６】
プロセッサユニット１２０はメモリインタフェース１２１、少なくとも一つのプロセッサ（ｐｒｏｃｅｓｓｏｒ）１２２及び周辺装置インタフェース１２３を含む。ここで、プロセッサユニット１２０に含まれるメモリインタフェース１２１、少なくとも一つのプロセッサ１２２及び周辺装置インタフェース１２３は、少なくとも一つの集積化された回路に集積化されるか別途の構成要素として具現される。
【００３７】
メモリインタフェース１２１は、プロセッサ１２２又は周辺装置インタフェース１２３のような構成要素のメモリ１１０接近を制御する。
【００３８】
周辺装置インタフェース１２３は、電子装置１００の入出力周辺装置とプロセッサ１２２及びメモリインタフェース１２１の連結を制御する。
【００３９】
プロセッサ１２２は、少なくとも一つのソフトウェアプログラムを使用して電子装置１００が多様なマルチメディアサービスを提供するように制御する。この際、プロセッサ１２２はメモリ１１０に貯蔵されている少なくとも一つのプログラムを実行して該当プログラムに対応するサービスを提供する。例えば、プロセッサ１２２はプログラム貯蔵部１１１に貯蔵された動く写真生成プログラム１１４を実行して動く写真コンテンツを生成する。他の例として、プロセッサ１２２はプログラム貯蔵部１１１に貯蔵された再生制御プログラム１１５を実行してユーザの入力情報に基づいて動く写真コンテンツの再生方式を決定する。
【００４０】
オーディオ処理部１３０は、スピーカ１３１及びマイク１３２を介してユーザと電子装置１００との間のオーディオインタフェースを提供する。
【００４１】
カメラ部１４０は、被写体に対する撮影を介して獲得した収集映像をプロセッサユニット１２０に提供する。詳しくは、カメラ部１４０は光学的信号を電気的信号に変換するカメラセンサ、アナログ映像信号をデジタル映像信号に変換する映像処理装置及び映像処理装置から出力される映像信号を表示部１７０に表示するように映像処理する信号処理装置などを含む。ここて、カメラ部１４０は電子装置１００の前面に位置する第１カメラと後面に位置する第２カメラのうち少なくとも一つを含む。
【００４２】
カメラ部１４０は、連続撮影を介して少なくとも一つのイメージを獲得してプロセッサユニット１２０に提供する。例えば、カメラ部１４０はシャッターボタンが入力されたことを感知した場合、基準間隔で基準回数だけの連続撮影を介して少なくとも一つのイメージを獲得する。この際、カメラ部１４０はシャッターボタンを感知した時点又はシャッターボタンの入力を感知した後で被写体の動きが感知された時点から連続撮影を開始する。他の例として、カメラ部１４０はシャッターボタンの入力が維持される間、基準間隔で連続撮影を行って少なくとも一つのイメージを獲得する。この際、カメラ部１４０はシャッターボタンを感知した時点又はシャッターボタンの入力を感知した後で被写体の動きが感知された時点から連続撮影を開始する。他の例として、カメラ部１４０は動画を撮影する際、動画撮影のためのフレーム間隔を調節して少なくとも一つのイメージを獲得する。
【００４３】
センシング部１５０は電子装置１００の動きを感知する。例えば、センシング部１５０は加速度センサ、重力センサ、地磁気センサのうち一つ以上を含む。
【００４４】
入出力制御部１６０は、表示部１７０及び入力装置１８０などの入力力装置と周辺装置インタフェース１２３との間にインタフェースを提供する。
【００４５】
表示部１７０は電子装置１００の状態情報、ユーザ入力する文字、動画像及び静画像などを表示する。例えば、表示部１７０はプロセッサ１１２によって駆動される応用プログラムの情報を表示する。
【００４６】
入力装置１８０は、ユーザの選択によって発生する入力データを入出力制御部１６０を介してプロセッサユニット１２０に提供する。この際、入力装置１８０は少なくとも一つのハードウェアボタンを含むキーパッド及びタッチ情報を感知するタッチパッドのうち一つ以上を含む。例えば、入力装置１８０はタッチパッドを介して感知したタッチ情報を入出力制御部１６０を介してプロセッサ１２２に提供する。
【００４７】
追加的に、電子装置１００は音声通信及びデータ通信のための通信機能を行う通信システムを含む。この際、通信システムは互いに異なる通信ネットワークを支援する多数個の通信サブモジュールで区分される。例えば、通信ネットワークはこれらに限らないが、ＧＳＭネットワーク、ＥＧＤＥネットワーク、ＣＤＭＡネットワーク、Ｗ−ＣＤＭＡネットワーク、ＬＴＥネットワーク、ＯＦＤＭＡネットワーク、無線ＬＡＮ，Ｂｌｕｅｔｏｏｔｈネットワーク及びＮＦＣなどを含む。
【００４８】
上述した実施例において、プロセッサ１２２は一つのモジュール内でメモリ１１０に貯蔵されたソフトウェア構成要素を実行し、動く写真コンテンツの生成及びユーザの入力情報に応じて動く写真コンテンツの再生方式を決定する。
【００４９】
他の実施例において、プロセッサ１２２は下記図２に示したように動く写真コンテンツの生成及びユーザの入力情報に応じて動く写真コンテンツの再生方式を決定するための構成要素が別途のモジュールとして含むように構成する。
【００５０】
図２は、本発明の実施例によるプロセッサの詳細なブロック構成を示す図である。
【００５１】
図２を参照すると、プロセッサ１１２は動く写真生成部２００、再生制御部２１０、応用プログラム駆動部２２０及び表示制御部２３０を含む。
【００５２】
動く写真生成部２００はプログラム貯蔵部１１１に貯蔵された動く写真生成プログラム１１４を実行して動く写真コンテンツを生成する。例えば、動く写真生成部２００はカメラ部１４０を介して連続に撮影された多数個のイメージを合成して動く写真コンテンツを生成する。
【００５３】
他の例として、動く写真生成部２００はカメラ部１４０を介して連続に撮影された多数個のイメージのうち入力装置１８０から提供されたユーザの入力情報に応じて設定された動き領域の情報を合成して動く写真コンテンツを生成する。
【００５４】
また他の例として、動く写真生成部２００はカメラ部１４０を介して連続に撮影された多数個のイメージを比較し、動きが発生する領域を抽出して動き領域として設定する。次に、動く写真生成部２００は連続に撮影されたイメージの動き領域の情報を合成して動く写真コンテンツを生成してもよい。この際、動く写真生成部２００はイメージをピクセル単位で比較して動き領域を設定する。
【００５５】
再生制御部２１０は、プログラム貯蔵部１１１に貯蔵された再生制御プログラム１１５を実行してマイク１３２、センシング部１５０及び入力装置１８０のうち少なくとも一つを介して提供されたユーザの入力情報に応じて動画コンテンツ又は動く写真コンテンツに対する再生方式を決定する。例えば、図９ｅに示したように入力装置１８０を介してドラッグ９４１，９４３を感知した場合、プロセッサユニット１２０はデータ貯蔵部１１２に貯蔵された再生方式のうちドラッグ情報にマッチングする動画コンテンツ又は動く写真コンテンツの再生方式を選択する。
【００５６】
他の例として、図１０ｅに示したようにマイク１３２を介して「投げて」という音声命令１０５０を提供された場合、再生制御部２１０はデータ貯蔵部１１２に貯蔵された再生方式のうち「投げて」という音声命令にマッチングする動画コンテンツ又は動く写真コンテンツの再生方式を選択する。
【００５７】
また他の例として、センシング部１５０を介して電子装置１００の揺れが感知された場合、再生制御部２１０はデータ貯蔵部１１２に貯蔵された再生方式のうち電子装置１００の揺れにマッチングする動画コンテンツ又は動く写真コンテンツの再生方式を選択する。
【００５８】
再生制御部２１０はコンテンツの再生方式がマッチングする入力情報のうち該当動画コンテンツ又は動く写真コンテンツを制御するための少なくとも一つの入力情報を選択する。例えば、再生制御部２１０は図９ｃ及び図１０ｃに示したようにコンテンツの再生方式がマッチングする入力情報９２０，１０３０を表示部１７０に表示するように制御する。次に、再生制御部２１０はコンテンツの再生方式がマッチングする入力情報９２０，１０３０のうち少なくとも一つの入力情報を動画コンテンツ又は動く写真コンテンツを再生するための入力情報として選択する。この場合、再生制御部２１０は動画コンテンツ又は動く写真コンテンツの再生方式がマッチングする入力情報９２０，１０３０のうち選択された少なくとも一つの入力情報に基づいて動画コンテンツ又は動く写真コンテンツを再生するように制御する。
【００５９】
他の例として、再生制御部２１０は図９ｄ及び図１０ｄに示したようにコンテンツの再生方式がマッチングする入力情方式９３０，１０４０を表示部１７０に表示するように制御する。次に、再生制御部２１０はコンテンツの再生方式がマッチングする入力方式９３０，１０４０のうち少なくとも一つの入力方式を動画コンテンツ又は動く写真コンテンツを再生するための入力方式として選択する。もし、図９ｄに示したようにタッチ入力方方式が選択された場合、再生制御部２１０はコンテンツの再生方式がマッチングする入力情報のうちタッチ入力方式に応じた少なくとも一つ入力情報９３０に基づいて動画コンテンツ又は動く写真コンテンツを再生するように制御する。一方、図１０ｄに示したように音声認識方式が選択された場合、再生制御部２１０はコンテンツの再生方式がマッチングする入力情報のうち音声認識方式に応じた少なくとも一つ入力情報１０４０に基づいて動画コンテンツ又は動く写真コンテンツを再生するように制御する。
【００６０】
再生制御部２１０は、動く写真コンテンツに含まれた少なくとも一つの動き領域を選択的に再生してもよい。例えば、図１０ｄに示したように音声認識情報１０４０のうち「投げて」という音声命令を感知した場合、再生制御部２１０は図１０ｂに示した２つの動き領域１０１０，１０２０を含む動く写真コンテンツで第１動き領域１０１０のみを１回再生するように制御する。他の例として、図１０ｄに示したように音声認識情報のうち「再生」という音声命令を感知した場合、再生制御部２１０は図１０ｂに示した動く写真コンテンツを１回再生するように制御する。即ち、再生制御部２１０は動く写真コンテンツに含まれた第１動き領域１０１０及び第２動き領域１０２０を１回再生するように制御する。
【００６１】
再生制御部２１０は、動画コンテンツ又は動く写真コンテンツを制御するための少なくとも一つの入力情報にマッチングする再生方式を設定する。例えば、再生制御部２１０は図５に示したように入力情報設定メニュを利用して動画コンテンツ又は動く写真コンテンツを制御するための入力情報にマッチングするための再生方式を設定する。他の例として、再生制御部２１０は動く写真生成プログラム１１４を介して動く写真を生成する際、動く写真コンテンツを制御するための入力情報にマッチングする再生方式を決定する。
【００６２】
応用プログラム駆動部２２０は、プログラム貯蔵部１１１に貯蔵されている少なくとも一つの応用プログラム１１６を実行して該当応用プログラムに応じたサービスを提供する。例えば、応用プログラム駆動部２２０はプログラム貯蔵部１１１に貯蔵された応用プログラム１１６を貯蔵して動く写真コンテンツを再生する。この際、応用プログラム駆動部２２０は再生制御部２１０で決定した再生方式に応じて動く写真コンテンツを再生する。
【００６３】
表示制御部２３０はプログラム貯蔵部１１１に貯蔵されたＧＵＩプログラム１１３を実行し、表示部１７０の上にグラフィックでユーザインタフェースを表示するように制御する。例えば、表示制御部２３０は応用プログラム駆動部２２０で駆動される応用プログラムの情報を表示部１７０に表示するように制御する。
【００６４】
上述したように、再生制御部２１０は動く写真コンテンツに含まれる動き領域のうち一部の動き領域のみを再生するように制御する。例えば、再生制御部２１０は図１０ｂに示した２つの動き領域１０１０，１０２０を含む動く写真コンテンツで第１動き領域１０１０のみを１回再生するように制御する。この場合、表示制御部２３０は動く写真コンテンツと基準イメージと再生される動く写真コンテンツに重畳させて第１動き領域１０１０のみ再生されると表示する。
【００６５】
上述した実施例において、電子装置１００は動く写真生成部２００と再生制御部２１０を含むプロセッサ１２２を利用して動く写真コンテンツの生成及びユーザの入力情報に対応するコンテンツの再生方式を決定する。
【００６６】
他の実施例において、電子装置１００は動く写真コンテンツの生成及びユーザの入力情報に対応するコンテンツの再生方式を決定する別途の制御モジュールを含む。
【００６７】
図３は、本発明の実施例による電子装置で動く写真コンテンツを再生するための手順を示す図である。
【００６８】
図３を参照すると、電子装置はステップ３０１で動く写真コンテンツを生成する。例えば、電子装置は連続に撮影された多数個のイメージを合成して動く写真コンテンツを生成する。この際、電子装置は図４に示したように連続に撮影されたイメージの動き領域を合成して動く写真コンテンツを生成する。
【００６９】
動く写真コンテンツを再生した場合、再生装置はステップ３０３に進行してマイク１３２、センシング部１５０及び入力装置１８０のうち少なくとも一つを介して入力情報を感知する。
【００７０】
次に、電子装置はステップ３０５に進行してステップ３０３で感知した入力情報にマッチングするコンテンツに対する制御情報を決定する。ここで、制御情報は動く写真コンテンツに対する再生方式を含む。
【００７１】
コンテンツに対する制御情報を確認した場合、電子装置はステップ３０７に進行して入力情報にマッチングするコンテンツに対する制御情報に基づいて動く写真コンテンツを再生する。例えば、図９ｅに示したように入力装置１８０を介してドラッグ９４１，９４３を感知した場合、電子装置はドラッグ情報にマッチングする動く写真コンテンツの再生方式に応じて動く写真コンテンツを１回再生する。この際、電子装置はドラッグ距離に応じて動き領域９１０に含まれた「ゴルフスイング」の再生地点を制御する。他の例として、図１０ｅに示したようにマイク１３２を介して「投げて」という音声命令１０５０を提供された場合、電子装置は「投げて」という音声命令にマッチングする動く写真コンテンツの再生方式に応じて動く写真コンテンツの第２動き領域１０２０のみを１回再生する。
【００７２】
上述した実施例において、電子装置はステップ３０１で生成した動く写真コンテンツを入力情報にマッチングする動く写真コンテンツに対する制御情報に応じて再生する。
【００７３】
他の実施例において、電子装置はデータ貯蔵部１１２に貯蔵された動画コンテンツ及び動く写真コンテンツのうち再生するために選択した少なくとも一つのコンテンツを入力情報にマッチングする制御情報に応じて再生する。
【００７４】
図４は、本発明の実施例による電子装置で動く写真コンテンツを生成するための手順を示す図である。
【００７５】
図４を参照すると、電子装置はステップ４０１で連続撮影イベントが発生するのかを確認する。例えば、電子装置は連続撮影モードに設定されたカメラ部１４０に対するシャッターボタンの入力が感知されるのかを確認する。他の例として、電子装置はカメラ部１４０に対するシャッターボタンの入力が基準時間の間に維持されるのかを確認する。
【００７６】
連続撮影イベントが発生した場合、電子装置はステップ４０３に進行して連続撮影された少なくとも一つのイメージを確認する。例えば、電子装置はシャッターボタンが入力されたことを感知した場合、基準間隔で基準回数だけの連続撮影を介して図９ａ又は図１０ａに示したような多数個のイメージ９００，１０００を獲得する。この際、電子装置はシャッターボタンの入力を感知した時点又はシャッターボタンの入力を感知した後で被写体の動きが感知された時点から連続撮影を開始する。他の例として、電子装置はシャッターボタンの入力が維持される間に基準間隔で連続撮影を行って図９ａ又は図１０ａに示したような多数個のイメージ９００，１０００を獲得する。この際、電子装置はシャッターボタンの入力を感知した時点又はシャッターボタンの入力を感知した後で被写体の動きが感知された時点から連続撮影を開始する。また他の例として、電子装置は動画を撮影する際、動画撮影のためのフレーム間隔を調節して多数個のイメージを獲得する。
【００７７】
連続撮影されたイメージを確認した後、電子装置はステップ４０５に進行して連続撮影されたイメージに対する動き領域を決定する。この際、電子装置は図９ｂに示したように一つの動き領域９１０を決定するか、図１０ｂに示したように多数個の動き領域１０１０，１０２０を決定する。例えば、電子装置は連続撮影されたイメージのうちいずれか一つの基準イメージを設定して表示部１７０に表示する。次に、電子装置は基準イメージに対するタッチ情報に基づいて動き領域を設定する。他の例として、電子装置は連続に撮影されたイメージを比較して動きが感知される領域を動き領域として設定する。ここで、電子装置はイメージをピクセル単位で比較して動き領域を設定する。
【００７８】
動き領域を決定した後、電子装置はステップ４０７に進行して連続撮影されたイメージの動き領域を合成して動く写真コンテンツを生成する。
【００７９】
上述したように、電子装置は連続に撮影されたイメージの動き領域を合成して動く写真コンテンツを生成する。この際、電子装置は動く写真コンテンツを再生するための入力情報と再生方式を設定する。例えば、電子装置は動く写真コンテンツを生成した後、図５に示したように制御情報設定メニュを利用して動く写真コンテンツを再生するための入力情報と再生方式を設定する。この際、電子装置は動く写真コンテンツの生成とは関係なく、制御情報設定メニュの選択によってデータ貯蔵部１１２に貯蔵された動画コンテンツ又は動く写真コンテンツを再生するための入力情報と再生方式を図５と同じく設定してもよい。
【００８０】
図５は、本発明の実施例による電子装置で動く写真コンテンツに対する制御情報を設定するための手順を示す図である。
【００８１】
図５を参照すると、電子装置はステップ５０１で制御情報設定イベントが発生するのかを確認する。例えば、電子装置は制御情報設定メニュが選択されるのかを確認する。他の例として、制御情報設定アイコンが選択されるのかを確認する。また他の例として、電子装置は制御情報を設定するための動く写真コンテンツが生成されるのかを確認してもよい。
【００８２】
制御情報設定イベントが発生した場合、電子装置はステップ５０３に進行して動く写真コンテンツに対する制御情報を設定するための制御情報設定画面を表示部１７０に表示する。例えば、表示装置は図１１に示したように構成される制御情報設定画面を表示部１７０に表示する。他の例として、電子装置は表示部１７０に表示された動く写真コンテンツに重畳されるように制御情報を設定するためのポップアップウィンドウを表示してもよい。
【００８３】
次に、電子装置はステップ５０５に進行して制御情報の設定が完了されるのかを確認する。例えば、電子装置は入力装置１８０を介したユーザの入力される動く写真コンテンツを再生するための入力情報と再生方式を制御情報設定画面に表示する。次に、電子装置は入力完了メニュが選択されるのかを確認する。
【００８４】
制御情報の設定が完了された場合、電子装置はステップ５０７に進行して制御情報設定画面を介して設定された動く写真コンテンツを再生するための入力情報と再生方式情報をデータ貯蔵部１１２に貯蔵する。
【００８５】
上述した実施例において、電子装置は動く写真コンテンツを生成した後、制御情報設定メニュを利用して動く写真コンテンツを再生するための入力情報と再生方式を設定する。
【００８６】
他の実施例において、電子装置は既に設定された動く写真コンテンツを再生するための入力情報と再生方式情報のうち生成した動く写真コンテンツの再生に適用するための入力情報と再生方式のマッチング情報を選択する。例えば、電子装置は動く写真コンテンツを生成した後、図９ｃ又は図１０ｃに示したように既に設定された動く写真コンテンツを再生するための入力情報と再生方式情報９２０，１０３０を表示部１７０に表示する。次に、電子装置は表示部１７０に表示された既に設定された動く写真コンテンツを再生するための入力情報と再生方式情報９２０，１０３０のうち動く写真コンテンツの再生に適用するための入力情報と再生方式のマッチング情報を選択する。他の例として、電子装置は動く写真コンテンツを生成した後、図９ｄ又は図１０ｄに示したように既に設定された動く写真コンテンツを再生するための入力情報に応じた再生方式情報９３０，１０４０を表示部１７０に表示する。次に、電子装置は表示部１７０に表示された既に設定された動く写真コンテンツを再生するための入力方式による再生方式情報９２０，１０３０のうち動く写真コンテンツの再生に適用するための入力方式による再生方式のマッチング情報を選択する。
【００８７】
図６は、本発明の実施例による電子装置で入力情報に基づいてコンテンツを再生するための手順を示す図である。
【００８８】
図６を参照すると、電子装置はステップ６０１でコンテンツ実行イベントが発生するのかを確認する。例えば、電子装置はデータ貯蔵部１１２に貯蔵された少なくとも一つの動く写真コンテンツのうち実行するための動く写真コンテンツが選択されるのかを確認する。他の例として、電子装置はデータ貯蔵部１１２に貯蔵された少なくとも一つの動画コンテンツのうち実行するための動画コンテンツが選択されるのかを確認する。
【００８９】
コンテンツ実行イベントが発生した場合、電子装置はステップ６０３に進行して実行するために選択されたコンテンツ情報を表示部１７０に表示する。例えば、電子装置は動く写真コンテンツの基準画面を表示部１７０に表示する。この際、電子装置は動く写真コンテンツを待機状態で維持する。他の例として、電子装置は動画の基準画面を表示部１７０に表示する。ここで、動画の基準画面は動画のサムネール又は動画の再生開始時点のイメージを含む。
【００９０】
次に、電子装置はステップ６０５に進行してマイク１３２、センシング部１５０及び入力装置１８０のうち少なくとも一つを介して入力情報が感知されるのかを確認する。
【００９１】
入力情報を感知した場合、電子装置はステップ６０７に進行してステップ６０５で感知した入力情報にマッチングするコンテンツの制御情報が存在するのかを確認する。ここで、制御情報はコンテンツに対する再生方式を含む。
【００９２】
入力情報にマッチングするコンテンツに対する制御情報が存在しない場合、電子装置はステップ６１１に進行して警告イベントを発生させる。例えば、電子装置は入力情報にマッチングするコンテンツに対する制御情報が存在しないことを示す警告メッセージ及び警告音のうち少なくとも一つを発せさせる。
【００９３】
次に、電子装置はステップ６０５に進行して入力情報が感知されるのかを更に確認する。
【００９４】
一方、入力情報にマッチングするコンテンツに対する制御情報が存在する場合、電子装置はステップ６０９に入力情報にマッチングするコンテンツに対する制御情報に基づいて動画コンテンツ又は動く写真コンテンツを再生する。例えば、図９ｅに示したように入力装置１８０を介してドラッグ９４１，９４３を感知した場合、再生制御部はドラッグ情報にマッチングする動く写真コンテンツの再生方式に応じて動く写真コンテンツを１回再生する。この際、電子装置はドラッグ距離に応じてゴルフスイングの再生地点を制御する。他の例として、図１０ｅに示したようにマイク１３２を介して「投げて」という音声命令１０５０を提供された場合、電子装置は「投げて」という音声命令にマッチングする動く写真コンテンツの再生方式に応じて動く写真コンテンツの第２動き領域１０２０のみを１回再生する。
【００９５】
図７は、本発明の他の実施例による電子装置で入力情報に基づいて動く写真コンテンツを再生するための手順を示す図である。
【００９６】
図７を参照すると、電子装置はステップ７０１で動く写真コンテンツに対する実行イベントが発生するのかを確認する。例えば、電子装置はデータ貯蔵部１１２に貯蔵された少なくとも一つの動く写真コンテンツのうち実行するための動く写真コンテンツが選択されるのかを確認する。
【００９７】
動く写真コンテンツに対する実行イベントが発生した場合、電子装置はステップ７０３に進行して実行するために選択された動く写真コンテンツ情報を表示部１７０に表示する。例えば、電子装置は動く写真コンテンツの基準画面を表示部１７０に表示する。この際、電子装置は動く写真コンテンツを待機状態で維持する。
【００９８】
次に、電子装置はステップ７０５に進行して動く写真コンテンツに含まれた動き領域の個数が多数個であるのかを確認する。
【００９９】
動く写真コンテンツが多数個の動き領域を含む場合、電子装置はステップ７０７に進行してマイク１３２、センシング部１５０及び入力装置１８０のうち少なくとも一つを介して入力情報が感知されるのかを確認する。
【０１００】
入力情報を感知した場合、電子装置はステップ７０９に進行してステップ７０７で感知した入力情報にマッチングする動く写真コンテンツに対する制御情報を確認する。もし、入力情報にマッチングする動く写真コンテンツに対する制御情報が存在しない場合、電子装置は入力情報にマッチングする動く写真コンテンツに対する制御情報が存在しないという警告メッセージ、警告音のうち少なくとも一つを発生させる。
【０１０１】
入力情報にマッチングする動く写真コンテンツに対する制御情報を確認した後、電子装置はステップ７１１に進行して入力情報にマッチングする動く写真コンテンツに対する制御情報に基づいて動く写真コンテンツに含まれた少なくとも一つの動き領域を再生する。例えば、図１０ｅに示したようにマイク１３２を介して「投げて」という音声命令１０５０を提供された場合、電子装置は「投げて」という音声命令にマッチングする動く写真コンテンツの再生方式に応じて動く写真コンテンツの第２動き領域１０２０のみを１回再生する。他の例として、図１０ｂに示したように動く写真コンテンツで第１動き領域１０１０に対するドラッグが感知された場合、電子装置はドラッグ情報にマッチングする動く写真コンテンツの再生方式に応じて動く写真コンテンツの第１動き領域１０１０のみ１回再生する。また他の例として、マイク１３２を介して「再生」という音声命令を提供された場合、電子装置は「再生」という音声命令にマッチングする動く写真コンテンツの再生方式に応じて動く写真コンテンツの第１動き領域１０１０及び第２動き領域１０２０を１回再生する。
【０１０２】
動く写真コンテンツが一つの動き領域を含む場合、電子装置はステップ７１３に進行してマイク１３２、センシング部１５０及び入力装置１８０のうち少なくとも一つを介して入力情報が感知されるのかを確認する。
【０１０３】
入力情報を感知した場合、電子装置はステップ７１５に進行してステップ７１３で感知した入力情報にマッチングする動く写真コンテンツに対する制御情報を確認する。もし、入力情報にマッチングする動く写真コンテンツに対する制御情報が存在しない場合、電子装置は入力情報にマッチングする動く写真コンテンツに対する制御情報が存在しないという警告メッセージ、警告音のうち少なくとも一つを発生させる。
【０１０４】
入力情報にマッチングする動く写真コンテンツに対する制御情報を確認した後、電子装置はステップ７１７に進行して入力情報にマッチングする動く写真コンテンツに対する制御情報に基づいて動く写真コンテンツを再生する。例えば、図９ｅに示したように入力装置１８０を介してドラッグ９４１，９４３を感知した場合、電子装置はドラッグ情報にマッチングする動く写真コンテンツの再生方式に応じて動く写真コンテンツの動き領域を１回再生する。
【０１０５】
図８は、本発明のまた他の実施例による電子装置で入力情報に基づいてコンテンツを再生するための手順を示す図である。
【０１０６】
図８を参照すると、電子装置はステップ８０１でコンテンツ実行イベントが発生するのかを確認する。例えば、電子装置はデータ貯蔵部１１２に貯蔵された少なくとも一つの動く写真コンテンツのうち実行するための動く写真コンテンツが選択されるのかを確認する。他の例として、電子装置はデータ貯蔵部１１２に貯蔵された少なくとも一つの動画コンテンツのうち実行するための動画コンテンツが選択されるのかを確認する。
【０１０７】
コンテンツ実行イベントが発生した場合、電子装置はステップ８０３に進行して実行するために選択されたコンテンツ情報を表示部１７０に表示する。例えば、電子装置は動く写真コンテンツの基準画面を表示部１７０に表示する。この際、電子装置は動く写真コンテンツを待機状態で維持する。他の例として、電子装置は動画の基準画面を表示部１７０に表示する。ここで、動画の基準画面は動画のサムネール又は動画の再生開始時点のイメージを含む。
【０１０８】
次に、電子装置はステップ８０５に進行してコンテンツを再生するための入力情報を決定する。例えば、電子装置は図９ｃ又は図９ｄ又は図１０ｃ又は図１０ｄに示したように、コンテンツの再生方式がマッチングする入力情報９２０又は９３０又は１０３０又は１０４０を表示部１７０に表示する。次に、電子装置はコンテンツの再生方式がマッチングする入力情報９２０，１０３０のうち少なくとも一つの入力情報をコンテンツを再生するための入力情報として選択する。
【０１０９】
コンテンツを再生するための入力情報を決定した後、電子装置はステップ８０７に進行してマイク１３２、センシング部１５０及び入力装置１８０のうち少なくとも一つを介して入力情報が感知されるのかを確認する。
【０１１０】
入力情報を感知した場合、電子装置はステップ８０９に進行してステップ８０７で感知した入力情報にマッチングするコンテンツに対する制御情報が存在するのかを確認する。ここで、制御情報はコンテンツに対する再生方式を含む。
【０１１１】
入力情報にマッチングするコンテンツに対する制御情報が存在しない場合、電子装置はステップ８１３に進行して警告イベントを発生させる。例えば、電子装置は入力情報にマッチングする動く写真コンテンツに対する制御情報が存在しないことを示す警告メッセージ及び警告音のうち少なくとも一つを発せさせる。
【０１１２】
次に、電子装置はステップ８０７に進行して入力情報が感知されるのかを更に確認する。
【０１１３】
一方、入力情報にマッチングするコンテンツに対する制御情報が存在する場合、電子装置はステップ８１１に進行して入力情報にマッチングするコンテンツに対する制御情報に基づいて動画コンテンツ又は動く写真コンテンツを再生する。例えば、図９ｅに示したように入力装置１８０を介してドラッグ９４１，９４３を感知した場合、再生制御部はドラッグ情報にマッチングする動く写真コンテンツの再生方式に応じて動く写真コンテンツを１回再生する。この際、電子装置はドラッグ距離に応じてゴルフスイングの再生地点を制御する。他の例として、図１０ｅに示したようにマイク１３２を介して「投げて」という音声命令１０５０を提供された場合、電子装置は「投げて」という音声命令にマッチングする動く写真コンテンツの再生方式に応じて動く写真コンテンツの第２動き領域１０２０のみを１回再生する。
【０１１４】
上述した実施例において、電子装置はマイク１３２、センシング部１５０及び入力装置１８０のうち少なくとも一つを介して提供されたユーザの入力情報にマッチングする再生方式に応じて動画コンテンツ又は動く写真コンテンツを再生する。この際、電子装置はユーザの入力情報に応じて動く写真コンテンツの動き領域を拡大又は縮小する。
【０１１５】
上述したように、電子装置でユーザの入力情報にマッチングする再生方式に応じて動画コンテンツ又は動く写真コンテンツを再生することで、動画コンテンツ又は動く写真コンテンツに対するユーザの興味を誘発することができる。
【０１１６】
また、電子装置で被写体の動きを認識して動く写真コンテンツを生成するための動き領域を自動的に設定することで、動く写真コンテンツを容易に生成することができる。
【０１１７】
一方、本発明の詳細な説明では具体的な実施例について説明したが、本発明の範囲を逸脱しない範囲内で多様な変形が可能である。よって、本発明の範囲は説明された実施例に限って決められてはならず、後述する特許請求の範囲だけでなく、この特許請求の範囲と均等なものによって決められるべきである。
【符号の説明】
【０１１８】
１００  電子装置
１１０  メモリ
１１１  プログラム貯蔵部
１１２  データ貯蔵部
１１３  プログラム
１１４  写真生成プログラム
１１５  再生制御プログラム
１１６  応用プログラム
１２０  プロセッサユニット
１２１  メモリインタフェース
１２２  プロセッサ
１２３  周辺装置インタフェース
１３０  オーディオ処理部
１３１  スピーカ
１４０  カメラ部
１５０  センシング部
１６０  入出力制御部
１７０  表示部
１８０  入力装置
２００  写真生成部
２１０  再生制御部
２２０  応用プログラム駆動部
２３０  表示制御部
【図１】
2014132461.tif 000003
【図２】
2014132461.tif 000004
【図３】
2014132461.tif 000005
【図４】
2014132461.tif 000006
【図５】
2014132461.tif 000007
【図６】
2014132461.tif 000008
【図７】
2014132461.tif 000009
【図８】
2014132461.tif 000010
【図９ａ】
2014132461.tif 000011
【図９ｂ】
2014132461.tif 000012
【図９ｃ】
2014132461.tif 000013
【図９ｄ】
2014132461.tif 000014
【図９ｅ】
2014132461.tif 000015
【図１０ａ】
2014132461.tif 000016
【図１０ｂ】
2014132461.tif 000017
【図１０ｃ】
2014132461.tif 000018
【図１０ｄ】
2014132461.tif 000019
【図１０ｅ】
2014132461.tif 000020
【図１１】
2014132461.tif 000021